(57)【要約】【課題】  モータの冷却性能と防塵性及び防水性とを備えた電動工具を提供する。【解決手段】  電動工具１は、モータ４と、モータによって回転されるファン１７とを収容し、吸気口１５と排気口１６とを有するハウジング２と、ハウジング２の外側に位置すると共にハウジング２に着脱自在に設けられ、排気口１６と吸気口１５とを覆うと共にハウジング２の外側に排気口１６と吸気口１５とを連通させる風路Ｐ１を画定するカバー２０と、を有する。【選択図】図２
2017226025.tif 000002
【特許請求の範囲】
【請求項１】
モータと、前記モータによって回転されるファンとを収容し、吸気口と排気口とを有するハウジングと、
前記ハウジングの外側に位置すると共に前記ハウジングに着脱自在に設けられ、前記排気口と前記吸気口とを覆うと共に前記ハウジングの外側に前記排気口と前記吸気口とを連通させる風路を画定するカバーと、
を有することを特徴とする電動工具。
【請求項２】
前記風路は、前記ハウジングの外側と前記カバーの内側との間に形成された隙間から構成されることを特徴とする請求項１に記載の電動工具。
【請求項３】
前記ハウジングの外側と前記カバーとの間に挿入されて前記風路を外気から分離する第１の封止手段をさらに有することを特徴とする請求項１に記載の電動工具。
【請求項４】
前記カバーは、少なくとも一部がアルミニウムにより形成されていることを特徴とする請求項１から３の何れか一に記載の電動工具。
【請求項５】
前記カバーは、少なくとも一部が弾性材により形成されていることを特徴とする請求項１から４の何れか一に記載の電動工具。
【請求項６】
前記カバーは、第１部材と前記第１部材に接合可能な第２部材とを有し、前記第１部材と前記第２部材との接合により前記風路を画定することを特徴とする請求項１から５の何れか一に記載の電動工具。
【請求項７】
前記第１部材と前記第２部材との接合部に第２の封止手段を設けたことを特徴とする請求項６に記載の電動工具。
【請求項８】
モータと、前記モータによって回転されるファンとを収容し、吸気口と排気口とを有するハウジングと、
前記ハウジングの外側に設けられるカバーと、
を有し、
前記カバーは、第１部材と前記第１部材に接合可能な第２部材とを有し、前記第１部材と前記第２部材とが接合されると、前記排気口と前記吸気口とを覆うと共に前記ハウジングの外側に前記排気口と前記吸気口とを連通させる風路を画定し、
前記カバーは、前記第１部材と前記第２部材との接合が解除されると前記吸気口を外気と連通させることを特徴とする電動工具。
【請求項９】
前記風路は、前記ハウジングの外側と前記カバーの内側との間に形成された隙間から構成されることを特徴とする請求項８に記載の電動工具。
【請求項１０】
前記ハウジングの外側と前記カバーとの間に挿入されて前記風路を外気から分離する第１の封止手段をさらに有することを特徴とする請求項８又は９に記載の電動工具。
【請求項１１】
前記カバーは、少なくとも一部がアルミニウムにより形成されていることを特徴とする請求項８から１０の何れか一に記載の電動工具。
【請求項１２】
前記カバーは、少なくとも一部が弾性材により形成されていることを特徴とする請求項８から１１の何れか一に記載の電動工具。
【請求項１３】
前記第１部材と前記第２部材との接合部に第２の封止手段をさらに有することを特徴とする請求項８に記載の電動工具。
【請求項１４】
前記カバーは、前記第１部材と前記第２部材との接合が解除されると前記第１部材と前記第２部材とを互いに離れる方向に付勢する付勢手段を有することを特徴とする請求項８又は１３に記載の電動工具。
【請求項１５】
モータと、前記モータによって回転されるファンとを収容し、吸気口と排気口とを有するハウジングと、
前記ハウジングの外側に位置し、前記排気口と前記吸気口とを覆うカバーと、
前記カバーと前記ハウジングとの間に位置し、前記カバー及び前記ハウジングに接触する弾性部材と、
を有し、
前記弾性部材は、前記ハウジングの外部から前記吸気口又は前記排気口に至る経路を遮断するように配置されることを特徴とする電動工具。
【請求項１６】
前記弾性部材は、前記吸気口又は前記排気口の周囲に配置されることを特徴とする請求項１５に記載の電動工具。
【請求項１７】
前記弾性部材は、前記吸気口及び前記排気口のうち、前方側に位置する方よりも前方に設けられると共に、前記吸気口及び前記排気口よりも下方に設けられることを特徴とする請求項１５に記載の電動工具。
【請求項１８】
前記ハウジングの後方側及び上方側は前記カバーによって覆われていることを特徴とする請求項１７に記載の電動工具。
【請求項１９】
前記カバーの内側で前記排気口と前記吸気口とを連通させる風路を有し、
前記風路は、前記カバーと前記ハウジングとの間に形成された隙間で構成されることを特徴とする請求項１５から１８の何れか一に記載の電動工具。
【発明の詳細な説明】
【技術分野】
【０００１】
本発明は、防塵性及び防水性を備えた電動工具に関する。
【背景技術】
【０００２】
モータを備えた電動工具において、防水性及び防塵性を向上させるために、放熱板の一部をハウジングの外部に露出させることにより当該ハウジングを密閉する電動工具が知られている。この電動工具では、ファンによってハウジング内に生じた空気が流れる風路を放熱板に接するように設けることによって、モータの駆動によって生じた熱をハウジングの外部に放熱するよう構成されている。
【０００３】
また、ハウジングに設けた吸気口及び排気口を開閉可能とし、粉塵等の異物が多い作業や作業現場では吸気口及び排気口を塞ぐことでハウジング内への異物の侵入を防ぎ、異物が少ない場合には吸気口及び排気口を開放してハウジング内に空気を取りこんでモータを冷却することが行われている。
【先行技術文献】
【特許文献】
【０００４】
【特許文献１】特開２０１４−０６１５５７号公報
【特許文献２】特開２００８−３０２４３４号公報
【発明の概要】
【発明が解決しようとする課題】
【０００５】
ハウジングが密閉構造の場合、電動工具の防水性及び防塵性は高いものの、新たな空気を取りこめないことから温まった空気がハウジング内の狭い風路を循環するだけとなり、モータの冷却が不十分となっていた。また、ハウジングに放熱板を嵌め込んでいるため、外力等により放熱板がずれた場合に防水性及び防塵性が低下するおそれがあった。
【０００６】
また、ハウジングの吸気口及び排気口を開閉可能とする場合、異物が多い場合には防水及び防塵性が高いもののモータの冷却が不十分となり、一方、異物が少ない場合にはモータの冷却性は高いものの防水性及び防塵性が不十分となっていた。
【０００７】
そこで、本発明は、冷却性の向上と防水性及び防塵性の向上を両立させた電動工具を提供することを目的とする。また、本発明は、防水性及び防塵性を向上させた電動工具を提供することを目的とする。
【課題を解決するための手段】
【０００８】
本発明の電動工具は、モータと、前記モータによって回転されるファンとを収容し、吸気口と排気口とを有するハウジングと、前記ハウジングの外側に位置すると共に前記ハウジングに着脱自在に設けられ、前記排気口と前記吸気口とを覆うと共に前記ハウジングの外側に前記排気口と前記吸気口とを連通させる風路を画定するカバーと、を有する。
【０００９】
上記構成により、カバーがハウジングの外側に装着されているときにモータの駆動によりファンが回転すると、カバーが排気口及び吸気口を覆っているため、ハウジングの外側に排気口と吸気口とが連通する風路が画定される。従って、ファンによりハウジング内で生じた風は、排気口からハウジングの外に排出されると、当該風路を通過して吸気口を介して再びハウジング内に吸引されてモータを冷却する。すなわち、吸気口及び排気口を介してハウジングの内外を連通する風路を循環する風によってモータを冷却する。また、吸気によってカバーがハウジング側に変形しないよう（ハウジングに接触しないよう）、風路を画定しているため、確実に風を循環することができる。
【００１０】
また、ハウジングの排気口と吸気口とがカバーによって覆われているので、電動工具を、例えば雨天や粉塵などの空気中の異物の多い環境で使用するときに、吸気口や排気口の開口からハウジング内への粉塵や水などの侵入を防ぐことができる。
【００１１】
一方、晴天や粉塵など空気中の異物が少ない環境で使用するときは、カバーをハウジングより外して電動工具を使用する。このとき、連続的に外気がファンの回転により吸気口を介してハウジング内に取りこまれてモータを冷却する。従って、モータの冷却性を向上させることができる。
【００１２】
このように、ハウジングへのカバーの装着の有無によりモータの冷却風の風路を切り替えることができるので、電動工具の使用環境に応じて１台の電動工具でモータの冷却性能と防塵性及び防水性との両立を図ることができる。
【００１３】
好ましくは、前記風路は、前記ハウジングの外側と前記カバーの内側との間に形成された隙間から構成される。当該構成により、風路が確保されるため確実に冷却性能を高めることができる。
【００１４】
好ましくは、前記ハウジングの外側と前記カバーとの間に挿入されて前記風路を外気から分離する第１の封止手段をさらに有する。当該構成により、外気から風路への雨水や塵埃の浸入が妨げられるので、防塵性及び耐水性を高めることができる。
【００１５】
好ましくは、前記カバーは、少なくとも一部がアルミニウムにより形成されている。当該構成により、モータの回転によりハウジング内部に発生した熱をカバーを介して効率良く放熱させることができ、モータの冷却性の向上に寄与する。
【００１６】
好ましくは、前記カバーは、少なくとも一部が弾性材により形成されている。当該構成により、電動工具に与えられる衝撃をカバーの弾性材が吸収するので、電動工具の耐久性を高めることができる。
【００１７】
好ましくは、前記カバーは、第１部材と前記第１部材に接合可能な第２部材とを有し、前記第１部材と前記第２部材との接合により前記風路を画定する。当該構成により、カバーが少なくとも２つの部材に分割されるので、ハウジングに対するカバーの着脱を容易に行うことができる。
【００１８】
好ましくは、前記第１部材と前記第２部材との接合部に第２の封止手段を設けている。当該構成により、第１部材と第２部材との接合部における密閉性が向上されるので、電動工具の防水性及び防塵性を高めることができる。
【００１９】
さらに、本発明の電動工具は、モータと、前記モータによって回転されるファンとを収容し、吸気口と排気口とを有するハウジングと、前記ハウジングの外側に設けられるカバーと、を有し、前記カバーは、第１部材と前記第１部材に接合可能な第２部材とを有し、前記第１部材と前記第２部材とが接合されると、前記排気口と前記吸気口とを覆うと共に前記ハウジングの外側に前記排気口と前記吸気口とを連通させる風路を画定し、前記カバーは、前記第１部材と前記第２部材との接合が解除されると前記吸気口を外気と連通させる。
【００２０】
上記構成により、第１部材と第２部材とが接合した状態でモータが駆動されると、カバーが排気口及び吸気口を覆っているため、ハウジングの外側に排気口と吸気口とを連通する風路が画定される。従って、ファンによってハウジング内で生じた風は、排気口からハウジングの外に排出され、当該風路を通過して吸気口を介して再びハウジング内に吸引されてモータを冷却する。すなわち、吸気口及び排気口を介してハウジングの内外を連通する風路を循環する風によってモータを冷却する。
【００２１】
また、ハウジングの排気口と吸気口とがカバーによって覆われているので、電動工具を、例えば雨天や粉塵などの空気中の異物が多い環境で使用するときに、吸気口や排気口の開口からハウジング内への粉塵や水などの侵入を防ぐことができる。
【００２２】
一方、晴天や空気中の異物が少ない環境で使用するときは、第１部材と第２部材との接合を解除して電動工具を使用する。このとき、吸気口は外気に晒されるので、モータの排熱で温められていない新鮮な外気が連続的にファンの回転により吸気口を介してハウジング内に取りこまれてモータを冷却する。従って、モータの冷却性を向上させることができる。
【００２３】
このように、第１部材と第２部材との接合又はその解除を選択してモータの冷却風の風路を切り替えることができるので、電動工具の使用環境に応じて１台の電動工具でモータの冷却性能と電動工具の防塵性及び防水性との両立を図ることができる。また、風路を確定しないときのカバーの紛失を防止できる。
【００２４】
好ましくは、前記風路は、前記ハウジングの外側と前記カバーの内側との間に形成された隙間から構成される。当該構成により、風路が確保されるため確実に冷却性能を高めることができる。
【００２５】
好ましくは、前記ハウジングの外側と前記カバーとの間に挿入されて前記風路を外気から分離する第１の封止手段をさらに有する。当該構成により、当該構成により、外気から風路への雨水や塵埃の浸入が妨げられるので、防塵性及び耐水性を高めることができる。
【００２６】
好ましくは、前記カバーは、少なくとも一部がアルミニウムにより形成されている。当該構成により、モータの回転によりハウジング内部に発生した熱をカバーを介して効率良く放熱させることができ、モータの冷却性の向上に寄与する。
【００２７】
好ましくは、前記カバーは、少なくとも一部が弾性材により形成されている。当該構成により、電動工具に与えた衝撃をカバーの弾性材が吸収するので、電動工具の耐久性を高めることができる。
【００２８】
好ましくは、前記第１部材と前記第２部材との接合部に第２の封止手段をさらに有する。当該構成により、第１部材と第２部材との接合部における密閉性が向上されるので、電動工具の防水性及び防塵性を高めることができる。
【００２９】
好ましくは、前記カバーは、前記第１部材と前記第２部材との接合が解除されると前記第１部材と前記第２部材とを互いに離れる方向に付勢する付勢手段を有する。当該構成により、第１部材と第２部材との接合の解除に応じて付勢手段が第１部材と第２部材とを互いに離間させて風路を消滅させることができる。従って、風路の切替を容易に行うことができる。
【００３０】
さらに、本発明の電動工具は、モータと、前記モータによって回転されるファンとを収容し、吸気口と排気口とを有するハウジングと、前記ハウジングの外側に位置し、前記排気口と前記吸気口とを覆うカバーと、前記カバーと前記ハウジングとの間に位置し、前記カバー及び前記ハウジングに接触する弾性部材と、を有し、前記弾性部材は、前記ハウジングの外部から前記吸気口又は前記排気口に至る経路を遮断するように配置される。
【００３１】
上記構成により、吸気口又は排気口からハウジング内に異物が侵入することを防止することができる。
【００３２】
好ましくは、弾性部材は、前記吸気口又は前記排気口の周囲に配置される。上記構成により、吸気口と排気口の周囲に弾性部材が設けられることで、吸気口又は排気口からハウジング内に異物が侵入することを防止することができる。
【００３３】
好ましくは、前記弾性部材は、前記吸気口及び前記排気口のうち、前方側に位置する方よりも前方に設けられると共に、前記吸気口及び前記排気口よりも下方に設けられる。また、前記ハウジングの後方側及び上方側は前記カバーによって覆われている。当該構成により、ハウジングの上方及び後方はカバーで覆い、且つ、吸気口又は排気口の前方及び下方を弾性部材でシールすることにより、吸気口及び排気口からハウジング内への異物の侵入を確実に防止することができる。
【００３４】
好ましくは、前記カバーの内側で前記排気口と前記吸気口とを連通させる風路を有し、前記風路は、前記カバーと前記ハウジングとの間に形成された隙間で構成される。当該構成により、風路を確保することができるため、防塵及び防止性を高めつつ冷却性も高めることができる。
【発明の効果】
【００３５】
本発明の電動工具によれば、１台の電動工具でモータの冷却性能と防塵性及び防水性との両立を図ることができるという効果を奏する。
【図面の簡単な説明】
【００３６】
【図１】本発明の第１の実施の形態に係るカバーが装着された電動工具の側面図。
【図２】図１に示す電動工具の側断面図。
【図３】図１に示す電動工具の斜視図。
【図４】電動工具に装着されるカバーの分解斜視図。
【図５】（ａ）第１の実施の形態のカバーの側面図、（ｂ）正面図、及び（ｃ）斜視図。
【図６】カバーを装着した電動工具に形成される風路を示す側断面図。
【図７】カバーを外した電動工具に形成される風路を示す側断面図。
【図８】本発明の第２の実施の形態にかかるカバーが装着された電動工具の斜視図。
【図９】図８に示す電動工具の側面図。
【図１０】図８に示す電動工具の作動時に形成される風路を示す図。
【図１１】本発明の第３の実施の形態にかかるカバーが装着された電動工具の斜視図。
【図１２】第３の実施の形態にかかるカバーの斜視図。
【図１３】第４の実施の形態にかかるカバーが装着された電動工具の斜視図。
【図１４】図１３に示すカバーの接合を解除した電動工具の斜視図。
【図１５】図１３に示すカバーが装着された電動工具の分解斜視図。
【発明を実施するための形態】
【００３７】
次に、本発明の実施の形態を、図面を参照して具体的に説明する。
（第１の実施の形態）
【００３８】
図１に示されるように、電動工具の一例であるインパクトドライバ１は、樹脂製のハウジング２とハンマケース３とを備える。ハウジング２は、前後方向に延びる略円筒形の胴体部２ａと、胴体部２ａに側面視略Ｔ字状を成すように連結されたハンドル部２ｂとを有する。図２に示されるように、胴体部２ａの後方側にモータ４を収容し、胴体部２ａの前方側に、モータ４の回転を減速させる減速機構部として機能する遊星歯車機構５と、ハンマケース３とを収容する。ハンマケース３の内部には、遊星歯車機構５によって減速させたモータ４の回転を回転打撃力に変換して不図示の先端工具に伝達する打撃機構６が収容されている。
【００３９】
なお、図１において、ハンドル部２ｂに対して胴体部２ａが設けられている側を上方向とし、反対側を下方向と定義する。また、ハンマケース３が設けられている側を前方とし、その反対側を後方と定義する。図３に示されるように、後方から前方から見た左右方向をそれぞれ左方向、右方向と定義する。
【００４０】
ハウジング２のハンドル部２ｂには、上部にトリガ７を有するスイッチ８が、下部にバッテリ受け部９がそれぞれ設けられている。ハンドル部２ｂの下端には、充電可能な電源であるバッテリＢＴがバッテリ受け部９に着脱可能に装着される。
【００４１】
インパクトドライバ１において、作業者がトリガ７をＯＮ操作すると、スイッチ８がＯＮされ、モータ４が起動する。モータ４が起動すると、モータ４の出力軸４ａの回転は、遊星歯車機構５によって減速されてスピンドル１０に伝達され、スピンドル１０が所定の速度で回転される。スピンドル１０は、カム機構によってハンマ１１と連結されており、カム機構によって連結されたスピンドル１０及びハンマ１１が打撃機構６として機能する。スピンドル１０とハンマ１１とを連結するカム機構は、スピンドル１０の外周面に形成されたＶ字状のスピンドルカム溝１０ａと、ハンマ１１の内周面に形成されたＶ字状のハンマカム溝１１ａと、スピンドルカム溝１０ａ及びハンマカム溝１１ａに係合するボール１２と、スプリング１３とを備えている。
【００４２】
ハンマ１１は、スプリング１３によって常に先端方向（前方）に付勢されており、静止時にはボール１２とカム溝１０ａ、１１ａとの係合によって、アンビル１４の端面と隙間を隔てた位置にある。ハンマ１１とアンビル１４の相対向する回転平面上の２箇所には、凸部がそれぞれ対称位置に形成されている。アンビル１４には、先端工具が着脱可能に装着される。
【００４３】
前述のようにスピンドル１０が所定の速度で回転すると、スピンドル１０の回転は、カム機構を介してハンマ１１に伝達され、ハンマ１１が半回転しないうちに、ハンマ１１の凸部がアンビル１４の凸部に係合して、アンビル１４が回転される。そして、このときの係合反力によってハンマ１１とスプリング１３との間に相対回転が生じると、ハンマ１１は、カム機構のスピンドルカム溝１０ａに沿ってスプリング１３を圧縮しながらモータ４側へと後退動を始める。
【００４４】
ハンマ１１の後退動によって、ハンマ１１の凸部がアンビル１４の凸部を乗り越えて両者の係合が解除されると、ハンマ１１は、スピンドル１０の回転力に加えて、スプリング１３が圧縮されて生じる弾性エネルギーとカム機構の作用とによって回転方向及び前方に急速に加速されつつ、スプリング１３の付勢力によって前方、すなわちアンビル１４側へと移動され、ハンマ１１の凸部がアンビル１４の凸部に再び係合して一体的に回転し始める。このとき、強力な回転打撃力がアンビル１４に加えられるため、アンビル１４に装着された先端工具を介して不図示のねじに回転打撃力が伝達される。以後、同様の動作が繰り返されて先端工具からねじに回転打撃力が間欠的に繰返し伝達され、ねじが木材等の不図示の被締付材にねじ込まれる。
【００４５】
又、ハウジング２の胴体部２ａの後端部及び後部側面には冷却風を吸引するための吸気口１５が、胴体部２ａの両側部及び上部には冷却風を排出する排気口１６が形成されている。モータ４の出力軸４ａと共に回転するファン１７によって冷却風が吸気口１５からハウジング２内に吸引される。ハウジング２内に吸引された冷却風は、モータ４を通過して冷却した後前方へと流れ、排気口１６からハウジング２の外へ排出される。
【００４６】
また、インパクトドライバ１は、カバー２０を有し、ハウジング２の胴体部２ａの外側に取り付けられる。なお、カバー２０を第１の実施の形態とする。カバー２０は、本実施の形態では、熱伝導率の高いアルミニウム製である。カバー２０は、図３及び図４に示されるように、内部に胴体部２ａを収容可能な略円筒形状を有し、接合部２１Ａ、２１Ｂを介して左右に分割される２つ割りカバーであり、右カバー２０Ａと左カバー２０Ｂとから構成される。右カバー２０Ａ及び左カバー２０Ｂは、図４に示されるように、ハウジング２の胴体部２ａを包み込むように、それぞれの接合部２１Ａ、２１Ｂの近傍に設けられ互いに対応する結合部２２Ａ，２２Ｂをボルト及びナットを利用して突き合わせて結合すると、ハウジング２に装着される。接合部２１Ａ、２１Ｂは、それぞれ平坦に形成され、右カバー２０Ａと左カバー２０Ｂとを突き合わせると、接合部２１Ａ、２１Ｂは互いに接合する。接合部２１Ａ、２１Ｂの密閉性を高めるためにその表面に封止材を第２の封止手段として封止材２６Ａ，２６Ｂをそれぞれ設けることもできる。一方、結合部２２Ａ，２２Ｂによる結合を解除すれば、カバー２０をハウジング２から外すことができる。
【００４７】
図５に、右カバー２０Ａの（ａ）側面図、（ｂ）正面図及び（ｃ）斜視図を示す。右カバー２０Ａの内面の前方側及び下方側には、胴体部２ａの外周面とカバー２０との間隙を埋めるために、例えばゴムやシリコンからなる封止材２３Ａ，２４Ａ，２５Ａが固着されている。封止材２３Ａ，２４Ａ，２５Ａは、第１の封止手段の一例である。また、封止材２３Ａ，２４Ａは、弾性部材の一例でもある。なお、左カバー２０Ｂの内面の前方及び下方、又は接合部２１Ａ、２１Ｂの接合面にも、右カバー２０Ａと同様に封止材（不図示）が固着されている。
【００４８】
カバー２０は、ハウジング２に装着されると、図２及び図６に示されるように、吸気口１５及び排気口１６を覆いつつも、カバー２０内面は、吸気口１５及び排気口１６から離れて位置する。従って、カバー２０の内面とハウジング２の外周面との間で、排気口１６から吸気口１５に連通する風路Ｐ１が画定される。なお、風路Ｐ１は、カバー２０の周縁部に設けられた封止材２３Ａ，２４Ａ，２５Ａが障害となって外気から分離される。
【００４９】
次に、インパクトドライバ１の動作について以下に説明する。
【００５０】
インパクトドライバ１において、作業者がトリガ７をＯＮ操作すると、スイッチ８がＯＮされてモータ４が起動し、先端工具からねじに回転打撃力が間欠的に繰返し伝達されて、ねじが木材等の被締付材にねじ込まれる。
【００５１】
このとき、ハウジング２にカバー２０が装着されていると、図６の矢印Ａに示されるように、ファン１７の回転により吸気口１５から胴体部２ａの内部に空気が取りこまれ、この空気は、モータ４を通過してモータ４を冷却した後、排気口１６から風路Ｐ１に排出される。風路Ｐ１は外気から分離されるとともにファン１７が連続して回転しているので、排気口１６から排出された風は、吸気口１５に向けて風路Ｐ１に沿って流れて、吸気口１５から再び胴体部２ａに吸引される。すなわち、ハウジング２の外側の風路Ｐ１と胴体部２ａの内側の風路とを風が循環してモータ４を冷却する。風路Ｐ１と風路とによって形成される風路は、胴体部２ａの内部のみで風を循環させる風路に比較して風量を多くすることができるので、モータ４の冷却性を高くすることができる。
【００５２】
また、吸気口１５及び排気口１６がカバー２０で覆われ外気から分離されているために、外気に含まれる粉塵や水滴などが吸気口１５及び排気口１６を介してハウジング２内部へ浸入することを防止することができる。従って、インパクトドライバ１の防塵性及び耐水性を向上させることができる。
【００５３】
一方、図７に示されるように、カバー２０を外した状態でインパクトドライバ１を操作する時は、ファン１７の回転により吸気口１５から外気が胴体部２ａの内部に取りこまれ、この外気はモータ４を通過してモータ４を冷却した後、排気口１６からハウジング２の外部に排出される。このため、インパクトドライバ１は、モータ４の排熱で温められていない外気を連続して胴体部２ａの内部に取りこみモータ４を冷却させることができるので、モータ４を効率良く冷却することができる。
【００５４】
このように、ハウジング２に対するカバー２０の着脱により、インパクトドライバ１の動作時にモータ４を冷却するために形成される冷却風の風路を切り替えることができる。すなわち、インパクトドライバ１の使用環境によってカバー２０装着の有無を選択できるため、１台のインパクトドライバ１でモータ４の冷却性と防塵性及び耐水性との両方を両立させることができる。
【００５５】
例えば、雨天や粉塵の多い環境などでインパクトドライバ１を使用するときは、ハウジング２にカバー２０を装着してカバー２０内部に冷却風の風路を画定してインパクトドライバ１による作業を行い、外部からハウジング２への水滴や粉塵などの異物の侵入を防止する。
【００５６】
一方、晴天や粉塵の少ない環境でインパクトドライバ１を使用するときは、カバー２０をハウジング２より外して作業を行うことができる。このとき、ハウジング２内部の風路は外気と連通して外気を継続的にモータの冷却に用いることができるため、冷却性を高くできる。
【００５７】
また、本実施の形態では、カバー２０はアルミ製で熱伝導率が高いため、ハウジングの内部に発生したモータの熱を効率良く放熱させることができる。特に、雨天のときの使用では、雨によるカバー２０の冷却効果も加わり、モータ４を効率良く冷却できる。
【００５８】
なお、本実施の形態では、カバー２０はアルミ製としたが、アルミニウムに代えて合成樹脂製とすることもできる。カバー２０を合成樹脂にて作成する場合、アルミニウム製のカバーに比べて軽量になるので、インパクトドライバ１そのものを軽量化して、操作性を高めることができる。
【００５９】
（第２の実施の形態）
次に、カバーの第２の実施の形態を図８から図１０を参照して説明する。図８及び図９に示されるように、カバー１２０は、ゴム等の弾性部材からなる。カバー１２０は、内部に胴体部２ａを収容可能とすると共に前方が開口した略円筒形状を有し、ハウジング２の胴体部２ａの外周面とは間隙を介して胴体部２ａに装着される。カバー１２０は装着されると、図１０に示されるように、吸気口１５及び排気口１６を覆いつつも、カバー１２０内面は、吸気口１５及び排気口１６から離れて位置する。従って、カバー１２０の内面とハウジング２の外周面との間で、排気口１６から吸気口１５に連通する風路Ｐ２が画定される。
【００６０】
また、カバー１２０の開口端部１２０Ａ近傍には、図１０に示されるように、内周面側に突出してハウジング２の外周面と接触する肉厚部１２０Ｂが形成されている。従って、風路Ｐ２は、肉厚部１２０Ｂが障害となって外気から分離される。
【００６１】
インパクトドライバ１の動作時にカバー１２０がハウジング２に装着されていると、図１０の矢印Ｂに示されるように、ファン１７の回転により吸気口１５から胴体部２ａの内部に空気が取りこまれ、この空気は、モータ４を通過してモータ４を冷却した後、排気口１６から風路Ｐ２に排出される。風路Ｐ２は外気から分離されているので、排気口１６から排出された風は、吸気口１５に向けて風路Ｐ２に沿って流れて、吸気口１５から再び胴体部２ａに吸引される。すなわち、ハウジング２の外側の風路Ｐ２と胴体部２ａの内側の風路とを風が循環してモータ４を冷却する。風路Ｐ２と風路とによって形成される風路は、胴体部２ａの内部のみで風を循環させる風路に比較して風量を多くすることができるので、モータ４の冷却性を高くすることができる。
【００６２】
また、吸気口１５及び排気口１６がカバー１２０で覆われ外気から分離されているために、外気に含まれる粉塵や水滴などが吸気口１５及び排気口１６を介してハウジング２内部へ浸入することを防止することができる。従って、インパクトドライバ１の防塵性及び耐水性を向上させることができる。
【００６３】
一方、カバー１２０を外した状態でのインパクトドライバ１の動作時のモータ４を冷却する風の風路については、第１の実施の形態のカバー２０を外した状態と同じであるため、詳細な説明は省略する。
【００６４】
このように、ハウジング２に対するカバー１２０の着脱により、インパクトドライバ１の動作時にモータ４を冷却するために形成される冷却風の風路を切り替えることができる。すなわち、インパクトドライバ１の使用環境によってカバー１２０装着の有無を選択できるため、１台のインパクトドライバ１でモータ４の冷却性と防塵性及び耐水性との両方を両立させることができる。
【００６５】
例えば、雨天や粉塵の多い環境などでインパクトドライバ１を使用するときは、ハウジング２にカバー１２０を装着してカバー１２０内部に冷却風の風路を画定してインパクトドライバ１による作業を行い、外部からハウジング２への水滴や粉塵などの異物の侵入を防止する。
【００６６】
一方、晴天や粉塵の少ない環境でインパクトドライバ１を使用するときは、カバー１２０をハウジング２より外して作業を行うことができる。このとき、ハウジング２内部の風路は外気と連通して外気を継続的にモータの冷却に用いることができるため、冷却性を高くできる。
【００６７】
また、本実施の形態では、カバー１２０は弾性部材から構成されているため、不意にインパクトドライバ１に作用する衝撃をカバー１２０が吸収するため、インパクトドライバ１の耐久性を向上させることができる。また、吸気口や排気口からのモータやファンの回転音の漏れを低減することもでき、低騒音化を図ることもできる。
【００６８】
（第３の実施の形態）
次に、カバーの第３の実施の形態を図１１及び図１２を参照して以下に説明する。図１１及び図１２に示されるように、カバー２２０は、内部に胴体部２ａを収容可能な略円筒形状で左右に分割される２つ割りカバーであり、接合部２２１Ａ，２２１Ｂを境にして左右対称なアルミニウム製の右カバー２２０Ａと左カバー２２０Ｂとから構成される。右カバー２２０Ａ及び左カバー２２０Ｂは、図１１に示されるように、ハウジング２の胴体部２ａを包み込むように、それぞれの接合部近傍に設けられ互いに対応する結合部２２２Ａ，２２２Ｂをボルト及びナットを利用して突き合わせて結合すると、ハウジング２に装着される。一方、結合部２２２Ａ，２２２Ｂによる結合を解除すれば、カバー２０をハウジング２から外すことができる。
【００６９】
カバー２２０は、第１の実施の形態のカバー２０と同様に、カバー２２０Ａ、２２０Ｂの内面の前方側及び下方側には、胴体部２ａの外周面とカバー２２０との間隙を埋めるために、例えばゴムやシリコンからなる封止材２２３Ａ，２２４Ａが固着されている。なお、図１１及び図１２には、右カバー２２０Ａに取り付けられる封止材２２３Ａ，２２４Ａのみが示されているが、左カバー２２０Ｂにも同様な封止材が取り付けられている。
【００７０】
また、カバー２２０には、後端部を含む後側部分の外周面に、ゴム等の弾性部材からなる衝撃吸収部２２５が一体的に取り付けられている。
【００７１】
カバー２２０をハウジング２へ装着したとき又は外したときにハウジング２の外周面とカバー２２０内面との間に形成されるモータ４の冷却風の風路は、第１及び第２の実施の形態と同じであり、第１及び第２の実施の形態と同じ効果を奏する。
【００７２】
さらに、アルミニウム製のカバー２２０に弾性部材からなる衝撃吸収部２２５が一体的に取り付けられていることによって、インパクトドライバ１は、アルミニウムの高い熱伝導率を生かした放熱性と、弾性部材による衝撃吸収性とを備えることができる。
【００７３】
（第４の実施の形態）
次に、カバーの第４の実施の形態を図１３から図１５を参照して以下に説明する。図１３から図１５に示されるように、カバー３２０は、内部に胴体部２ａを収容可能な略円筒形状で左右に分割される２つ割りカバーであり、アルミニウム製の右カバー３２０Ａと左カバー３２０Ｂと、下部結合部３２１と、上部結合部３２２とを有する。
【００７４】
下部結合部３２１は、右カバー３２０Ａ及び左カバー３２０Ｂの各々の下端部から左右方向に外方に向けて延びる管状の連結部３２３Ａ，３２３Ｂと、ハウジング２の胴体部２ａに設けられてスライドバー３２４が貫通する貫通孔（不図示）と、スライドバー３２４と、止め輪３２５と、コイルバネ３２６とからなる。連結部３２３Ａ，３２３Ｂは、内面をスライドバー３２４が挿通可能に設けられている。スライドバー３２４は、左右方向に延びる円柱形状を有し、長手方向の一端部には抜け止め部３２４Ａが、他端部には溝３２４Ｂが形成されている。右カバー３２０Ａ及び左カバー３２０Ｂを突き合わせた後、スライドバー３２４は、他端部が例えば順に左カバー３２０Ｂの連結部３２３Ｂ、ハウジング２の胴体部２ａ、及び対応する右カバー３２０Ａの連結部３２３Ａを挿通し、他端部の溝３２４Ｂに止め輪３２５を係止することにより、カバー３２０をハウジング２に取り付けられるようになっている。コイルバネ３２６は、胴体部２ａの外周面とカバー３２内面との間のスライドバー３２４に嵌装される。コイルバネ３２６は、付勢手段の一例である。
【００７５】
上部結合部３２２は、右カバー３２０Ａ及び左カバー３２０Ｂの上端部に設けられた突合片３２７Ａ，３２７Ｂと、右カバー３２０Ａ及び左カバー３２０Ｂの突合片３２７Ａ，３２７Ｂが互いに突き合わせられたときのその状態を維持するために両突合片３２７Ａ，３２７Ｂに係合されるスナップ部３２８とを備えている。スナップ部３２８を摺動させて同時に突合片３２７Ａ，３２７Ｂに係止させると、カバー３２０はハウジング２に装着される。
【００７６】
なお、カバー３２０は、カバー３２０Ａ、３２０Ｂの内面の前方側及び下方側には、胴体部２ａの外周面とカバー３２０との間隙を埋めるために、例えばゴムやシリコンからなる封止材（不図示）が固着されている。
【００７７】
インパクトドライバ１を動作するときであって、ハウジング２に対するカバー３２０の装着が必要なときは、右カバー３２０Ａ及び左カバー３２０Ｂを互いに突き合わせて、スナップ部３２８を同時に突合片３２７Ａ，３２７Ｂに係止させる。この動作によって、胴体部２ａの吸気口１５及び排気口１６はカバー３２０によって覆われつつもカバー３２０内面は、吸気口１５及び排気口１６から離れて位置する。従って、カバー３２０の内面とハウジング２の胴体部２ａの外周面との間で、排気口１６から吸気口１５に連通する風路が画定される。なお、風路は、カバー３２０の前方開口縁部に設けられた封止材が障害となって外気から分離される。この状態で、ファン１７の回転により吸気口１５から胴体部２ａの内部に空気が取りこまれ、この空気は、モータ４を通過してモータ４を冷却した後、排気口１６から風路に排出される。風路は外気から分離されているので、排気口１６から排出された風は、風路に沿って吸気口１５に向けて流れて、吸気口１５から再び胴体部２ａに吸引される。すなわち、ハウジング２の外側の風路と胴体部２ａの内側の風路とを風が循環してモータ４を冷却する。風路と風路とによって形成される風路は、胴体部２ａの内部のみで風を循環させる風路に比較して風量を多くすることができるので、モータ４の冷却性を高くすることができる。
【００７８】
また、吸気口１５及び排気口１６がカバー３２０で覆われ外気から分離されているために、外気に含まれる粉塵や水滴などが吸気口１５及び排気口１６を介してハウジング２内部へ浸入することを防止することができる。従って、インパクトドライバ１の防塵性及び耐水性を向上させることができる。
【００７９】
一方、インパクトドライバ１の動作時に、ハウジング２よりカバー３２０を外すときは、スナップ部３２８を摺動させて突合片３２７Ａ，３２７Ｂとの係止を解除すると、図１４に示されるように、コイルバネ３２６の弾性力により胴体部２ａより右カバー３２０Ａ及び左カバー３２０Ｂのそれぞれが離間される。右カバー３２０Ａ及び左カバー３２０Ｂの互いの離間に伴い、カバー３２０内面とハウジング外周面との間で排気口１６と吸気口１５とを連通させていた風路は、外気に開放される。この状態では、ファン１７の回転により吸気口１５から外気が胴体部２ａの内部に取りこまれ、取りこまれた外気はモータ４を通過してモータ４を冷却した後、排気口１６からハウジング２の外部に排出される。従って、外気により連続してモータ４を冷却できるので、モータ４の冷却性が向上する。
【００８０】
なお、カバーによってハンマケース３を覆うことも可能であるが、ハンマケース３で発生する熱を逃がすためにハンマケース３は露出させることが好ましい。排気口又は吸気口より前方側及び下方側をゴムで覆い、ハウジングの後方及び上方はカバーで覆うことで、吸気口及び排気口からハウジング内への異物の侵入を確実に防止することができる。なお、吸気口及び排気口を直接ゴムで覆う構成でも良い。
【００８１】
なお、防塵や防水を図るために電動工具全体を布やビニールで覆うことも考えられる。しかしながら、布やビニールは、破れ易く、吸気口にくっついてしまい冷却風路を確保できず防塵及び防水と冷却の両立は困難である。更に、バッテリを着脱する際にはその都度、布やビニールを外す必要があり使い勝手が悪い。また、ハンドル部には作業者の手が滑り難くするための設けられたエラストマを無駄にしてしまう。更に、バッテリの残量表示や電動工具の駆動モードの表示部がある場合には見にくくなってしまう。これに対して上記した実施の形態では、これらの問題を解決することができ、防塵及び防水と冷却を両立することができる。
【００８２】
上記構成により、カバー３２０内面とハウジング外周面との間において、排気口１６と吸気口１５とを連通させる風路の開放及び閉塞をワンタッチで切り替えることができる。
【００８３】
なお、上記の実施の形態において、カバーが取り付けられる電動工具としてインパクトドライバを例に説明したが、インパクトレンチなどの電動工具にも適用することができる。
【符号の説明】
【００８４】
１    インパクトドライバ
２    ハウジング
４    モータ
１５    吸気口
１６    排気口
１７    ファン
２０、１２０、２２０、３２０  カバー
【図１】
2017226025.tif 000003
【図２】
2017226025.tif 000004
【図３】
2017226025.tif 000005
【図４】
2017226025.tif 000006
【図５】
2017226025.tif 000007
【図６】
2017226025.tif 000008
【図７】
2017226025.tif 000009
【図８】
2017226025.tif 000010
【図９】
2017226025.tif 000011
【図１０】
2017226025.tif 000012
【図１１】
2017226025.tif 000013
【図１２】
2017226025.tif 000014
【図１３】
2017226025.tif 000015
【図１４】
2017226025.tif 000016
【図１５】
2017226025.tif 000017